(57)【要約】【課題】障子の保持機能の導入作業や除去作業を簡便に行うことができるすべり出し窓用ステー等を実現することにある。【解決手段】すべり出し窓の窓枠に取り付けられる窓枠取り付け部と、前記窓枠取り付け部に対して移動する移動部であって、障子に取り付けられる障子取り付け部と、前記窓枠取り付け部と前記障子取り付け部を連結し、移動することにより前記障子取り付け部の前記窓枠取り付け部に対する相対位置を変化させて障子を開閉させる連結部と、を備える移動部と、を有するすべり出し窓用ステーであって、前記移動部に当接して前記移動部を静止させることにより前記障子を保持させ、前記移動部に当接する当接位置と前記移動部が移動する際に該移動部と接触しない退避位置との間を移動可能な保持部を備えることを特徴とする。【選択図】図５
2018141319.tif 000002
【特許請求の範囲】
【請求項１】
すべり出し窓の窓枠に取り付けられる窓枠取り付け部と、
前記窓枠取り付け部に対して移動する移動部であって、
障子に取り付けられる障子取り付け部と、前記窓枠取り付け部と前記障子取り付け部を連結し、移動することにより前記障子取り付け部の前記窓枠取り付け部に対する相対位置を変化させて障子を開閉させる連結部と、を備える移動部と、
を有するすべり出し窓用ステーであって、
前記移動部に当接して前記移動部を静止させることにより前記障子を保持させ、前記移動部に当接する当接位置と前記移動部が移動する際に該移動部と接触しない退避位置との間を移動可能な保持部を備えることを特徴とするすべり出し窓用ステー。
【請求項２】
請求項１に記載のすべり出し窓用ステーであって、
前記保持部には、前記退避位置から前記当接位置へ前記保持部を移動させるための操作部が設けられていることを特徴とするすべり出し窓用ステー。
【請求項３】
請求項１又は請求項２に記載のすべり出し窓用ステーであって、
前記保持部は、前記窓枠取り付け部の一端部に枢着された回動片であり、
前記連結部は、一端部が前記窓枠取り付け部の他端部に枢着され、他端部が前記障子取り付け部の中央部に枢着された第一アームと、一端部が前記窓枠取り付け部の中央部に枢着され、他端部が前記障子取り付け部の一端部に枢着された第二アームと、を有し、
前記回動片は、前記退避位置から回動して前記第二アームに当接することにより、前記移動部を静止させることを特徴とする窓用ステー。
【請求項４】
窓枠と、
障子と、
前記窓枠に取り付けられる窓枠取り付け部と、前記窓枠取り付け部に対して移動する移動部であって、前記障子に取り付けられる障子取り付け部と、前記窓枠取り付け部と前記障子取り付け部を連結し、移動することにより前記障子取り付け部の前記窓枠取り付け部に対する相対位置を変化させて障子を開閉させる連結部と、を備える移動部と、を有するすべり出し窓用ステーと、
を有するすべり出し窓であって、
前記すべり出し窓用ステーは、前記移動部に当接して前記移動部を静止させることにより前記障子を開いた状態で保持させ、前記移動部に当接する当接位置と前記移動部が移動する際に該移動部と接触しない退避位置との間を移動可能な保持部を備えることを特徴とするすべり出し窓。
【発明の詳細な説明】
【技術分野】
【０００１】
本発明は、すべり出し窓用ステー、及び、すべり出し窓に関する。
【背景技術】
【０００２】
すべり出し窓に用いられるすべり出し窓用ステーは既によく知られている。このようなすべり出し窓用ステーは、窓枠に取り付けられる窓枠取り付け部と窓枠取り付け部に対して移動する移動部とを備えている。移動部は、障子に取り付けられる障子取り付け部と、窓枠取り付け部と障子取り付け部を連結し、移動することにより障子取り付け部の窓枠取り付け部に対する相対位置を変化させて障子を開閉させる連結部と、を有している。
【０００３】
また、このようなすべり出し窓用ステーの中には、障子の清掃等を行うために、障子を所定位置に保持させる（ロックする）保持部が備えられたものがある。
【先行技術文献】
【特許文献】
【０００４】
【特許文献１】特許第３４４８６２０号公報
【特許文献２】特許第４５９１２６４号公報
【発明の概要】
【発明が解決しようとする課題】
【０００５】
従来のすべり出し窓用ステーにおいては、障子が開閉され移動部が移動する際に、保持部が移動部と接触した状態で当該移動部の移動に連動して動作するようになっていた。そのため、保持部の移動部に対する関与が密接なものとなっており、保持機能の存在しないすべり出し窓に新たに当該機能を付加したり、保持機能の存在するすべり出し窓から当該機能を除去したりする際に、移動部も交換する必要があり、結局すべり出し窓用ステーを丸ごと交換することとなっていた。そのため、保持機能の導入作業や除去作業が大掛かりなものとなる課題があった。
【０００６】
本発明は、かかる課題に鑑みてなされたものであり、その目的とするところは、障子の保持機能の導入作業や除去作業を簡便に行うことができるすべり出し窓用ステー等を実現することにある。
【課題を解決するための手段】
【０００７】
かかる目的を達成するために本発明のすべり出し窓用ステーは、すべり出し窓の窓枠に取り付けられる窓枠取り付け部と、
前記窓枠取り付け部に対して移動する移動部であって、
障子に取り付けられる障子取り付け部と、前記窓枠取り付け部と前記障子取り付け部を連結し、移動することにより前記障子取り付け部の前記窓枠取り付け部に対する相対位置を変化させて障子を開閉させる連結部と、を備える移動部と、
を有するすべり出し窓用ステーであって、
前記移動部に当接して前記移動部を静止させることにより前記障子を保持させ、前記移動部に当接する当接位置と前記移動部が移動する際に該移動部と接触しない退避位置との間を移動可能な保持部を備えることを特徴とするすべり出し窓用ステーである。
【０００８】
このようなすべり出し窓用ステーによれば、保持部の移動部に対する関与が希薄となり、保持機能の存在しないすべり出し窓に新たに当該機能を付加したり、保持機能の存在するすべり出し窓から当該機能を除去したりする際に、移動部を交換することなく、保持部のみを導入したり除去したりすることが可能となる。したがって、障子の保持機能の導入作業や除去作業を簡便に行うことができるすべり出し窓用ステーを実現することができる。
【０００９】
かかるすべり出し窓用ステーであって、
前記保持部には、前記退避位置から前記当接位置へ前記保持部を移動させるための操作部が設けられていることが望ましい。
【００１０】
このようなすべり出し窓用ステーによれば、保持部の機構を簡易なものとすることができ、障子の保持機能の導入作業や除去作業をより一層簡便に行うことが可能となる。
【００１１】
かかるすべり出し窓用ステーであって、
前記保持部は、前記窓枠取り付け部の一端部に枢着された回動片であり、
前記連結部は、一端部が前記窓枠取り付け部の他端部に枢着され、他端部が前記障子取り付け部の中央部に枢着された第一アームと、一端部が前記窓枠取り付け部の中央部に枢着され、他端部が前記障子取り付け部の一端部に枢着された第二アームと、を有し、
前記回動片は、前記退避位置から回動して前記第二アームに当接することにより、前記移動部を静止させることが望ましい。
【００１２】
このようなすべり出し窓用ステーによれば、回動片により近い部材に回動片を当接させることができるため、回動片の構成を単純化することが可能となる。
【００１３】
また、本発明のすべり出し窓は、窓枠と、
障子と、
前記窓枠に取り付けられる窓枠取り付け部と、前記窓枠取り付け部に対して移動する移動部であって、前記障子に取り付けられる障子取り付け部と、前記窓枠取り付け部と前記障子取り付け部を連結し、移動することにより前記障子取り付け部の前記窓枠取り付け部に対する相対位置を変化させて障子を開閉させる連結部と、を備える移動部と、を有するすべり出し窓用ステーと、
を有するすべり出し窓であって、
前記すべり出し窓用ステーは、前記移動部に当接して前記移動部を静止させることにより前記障子を開いた状態で保持させ、前記移動部に当接する当接位置と前記移動部が移動する際に該移動部と接触しない退避位置との間を移動可能な保持部を備えることを特徴とするすべり出し窓である。
【００１４】
このようなすべり出し窓によれば、保持部の移動部に対する関与が希薄となり、保持機能の存在しないすべり出し窓に新たに当該機能を付加したり、保持機能の存在するすべり出し窓から当該機能を除去したりする際に、移動部を交換することなく、保持部のみを導入したり除去したりすることが可能となる。したがって、障子の保持機能の導入作業や除去作業を簡便に行うことができるすべり出し窓を実現することができる。
【発明の効果】
【００１５】
本発明によれば、障子の保持機能の導入作業や除去作業を簡便に行うことができるすべり出し窓用ステー等を実現することが可能となる。
【図面の簡単な説明】
【００１６】
【図１】障子１４が僅かに開いた状態のすべり出し窓１０を示した断面図である。
【図２】障子１４が大きく開きかつ保持された状態のすべり出し窓１０を示した断面図である。
【図３】回動片５０が退避位置に位置するときのすべり出し窓用ステー２０を示した斜視図である。
【図４】回動片５０が当接位置に位置するときのすべり出し窓用ステー２０を示した斜視図である。
【図５】図４のすべり出し窓用ステー２０の一部を破断した斜視図である。
【発明を実施するための形態】
【００１７】
＝＝＝本実施の形態に係るすべり出し窓１０について＝＝＝
本実施の形態に係るすべり出し窓の一例としてのすべり出し窓１０について、図１乃至図５を用いて説明する。
【００１８】
なお、以下の説明においては、建物等に取り付けられた状態のすべり出し窓１０を室内側から見たときに、上下となる方向を上下方向、左右となる方向を左右方向、室内外方向である奥行き方向を見込み方向として示す。すべり出し窓１０の各部位であっても、また、すべり出し窓１０を構成する各部材については単体の状態であっても、建物等に取り付けられた状態にて上下方向、左右方向、見込み方向となる方向にて方向を特定して説明する。
【００１９】
本実施形態に係るすべり出し窓１０は、窓枠１２と、障子１４と、すべり出し窓用ステー２０と、を備えている。
【００２０】
窓枠１２は、上枠（不図示）と下枠（不図示）と左右の縦枠１２ａとを備えている。そして、窓枠１２は、これら４つの枠体が矩形状に枠組みされて、全体として開口を形成している。上枠と下枠は、左右方向に延びた長尺状の部材であり、縦枠１２ａは、上下方向に延びた長尺状の部材である。
【００２１】
障子１４は、窓枠１２により形成された前記開口に収容される部材であり、框体１６とガラス（不図示）と、を備えている。
【００２２】
框体１６は、上框１６ｂと下框１６ｃと左右の縦框１６ａと、を備えている。そして、框体１６は、これら４つの框体が矩形状に枠組みされて、全体として開口を形成している。そして、この開口にガラスが取り付けられている。上框１６ｂと下框１６ｃは、左右方向に延びた長尺状の部材であり、縦框１６ａは、障子１４が閉まった状態にて上下方向に延びた長尺状の部材である。
【００２３】
すべり出し窓用ステー２０は、障子１４の窓枠１２に対する相対位置を変化させて、障子１４を開閉させるためのものである。すなわち、すべり出し窓１０においては、障子１４がすべり出し窓用ステー２０によって窓枠１２に取り付けられており、すべり出し窓用ステー２０が動作することにより、障子１４が開閉するようになっている（図１に障子１４が僅かに開いた状態を、図２に障子１４が大きく開いた状態を示している）。
【００２４】
なお、かかるすべり出し窓用ステー２０としては、二つのすべり出し窓用ステー２０、すなわち、左の縦枠１２ａと左の縦框１６ａ間に取り付けられる左側のすべり出し窓用ステー２０と、右の縦枠１２ａと右の縦框１６ａ間に取り付けられる右側のすべり出し窓用ステー２０とが存在する。双方のすべり出し窓用ステー２０の構成は同様であるので、以下では、右側のすべり出し窓用ステー２０を例に挙げて説明する。
【００２５】
＜＜＜本実施の形態に係るすべり出し窓用ステー２０について＞＞＞
本実施の形態に係るすべり出し窓用ステー２０は、所謂リンクステーであり、窓枠取り付け部の一例としてのベース板２２と、移動部３０と、保持部の一例としての回動片５０と、を備えている。
【００２６】
ベース板２２は、窓枠１２（縦枠１２ａ）に取り付けられる板状の部材である。このベース板２２は、金属製の長尺状の部材であり、その長手方向が縦枠１２ａの長手方向に沿うように縦枠１２ａに取り付けられている。したがって、ベース板２２は、上下方向に沿うように設けられている。
【００２７】
ベース板２２は、２つのネジ６０によりねじ止めされることにより縦枠１２ａに固定されている。すなわち、ベース板２２には、ネジ穴（第一ネジ穴２２ａ及び第二ネジ穴２２ｂと呼ぶ）が２箇所設けられており、この２箇所においてベース板２２が縦枠１２ａに固定されている。そのため、ベース板２２は移動不能となっている。
【００２８】
なお、後に説明するが、ベース板２２には、連結部４０の第一アーム４２及び第二アーム４４と回動片５０がそれぞれ回動可能に取り付けられている。そして、回動片５０の取り付け位置及び第一ネジ穴２２ａがベース板２２の一端部（上端部）に位置し、第一アーム４２の取り付け位置が他端部（下端部）に位置している。また、第二アーム４４の取り付け位置及び第二ネジ穴２２ｂは、前記一端部（上端部）と前記他端部（下端部）の間（中央部とする）に位置し、具体的には、第二アーム４４の取り付け位置は、前記一端部（上端部）に近い側に、第二ネジ穴２２ｂは、前記他端部（下端部）に近い側に位置している。
【００２９】
移動部３０は、ベース板２２に対して移動する部分であり、障子取り付け部の一例としての障子取り付け板３２と連結部４０とを備えている。
【００３０】
障子取り付け板３２は、障子１４（縦框１６ａ）に取り付けられる板状の部材である。この障子取り付け板３２は、金属製の長尺状の部材であり、その長手方向が縦框１６ａの長手方向に沿うように縦框１６ａに取り付けられている。したがって、障子取り付け板３２は、障子１４が閉まった状態にて上下方向に沿うように設けられている。
【００３１】
障子取り付け板３２は、２つのネジ６０によりねじ止めされることにより縦框１６ａに固定されている。すなわち、障子取り付け板３２には、ネジ穴（第一ネジ穴３２ａ及び第二ネジ穴３２ｂと呼ぶ）が２箇所設けられており、この２箇所において、障子取り付け板３２が縦框１６ａに固定されている。
【００３２】
なお、後に説明するが、障子取り付け板３２には、連結部４０の第一アーム４２及び第二アーム４４がそれぞれ回動可能に取り付けられている。そして、第二アーム４４の取り付け位置が障子取り付け板３２の一端部（上端部）に位置し、第二ネジ穴３２ｂが他端部（下端部）に位置している。また、第一アーム４２の取り付け位置及び第一ネジ穴３２ａは、前記一端部（上端部）と前記他端部（下端部）の間（中央部とする）に位置し、具体的には、第一アーム４２の取り付け位置は、前記他端部（下端部）に近い側に、第一ネジ穴３２ａは、前記一端部（上端部）に近い側に位置している。
【００３３】
連結部４０は、ベース板２２と障子取り付け板３２とを連結する部分である。この連結部４０は、移動することにより障子取り付け板３２（障子１４）のベース板２２（窓枠１２）に対する相対位置を変化させて障子１４を開閉させる役割を果たす。本実施の形態に係る連結部４０は、第一アーム４２と第二アーム４４とを備えている。
【００３４】
第一アーム４２は、第二アーム４４よりも下方に位置する板状の部材である。この第一アーム４２は、金属製の長尺状の部材である。第一アーム４２は、一端部がベース板２２の前記他端部（下端部）にピン６２により枢着され、他端部が障子取り付け板３２の前記中央部にピン６２により枢着されている。
【００３５】
第二アーム４４も板状かつ金属製の長尺状の部材である。第二アーム４４は、一端部がベース板２２の前記中央部にピン６２により枢着され、他端部が障子取り付け板３２の前記一端部（上端部）にピン６２により枢着されている。
【００３６】
保持部（回動片５０）は、前述した移動部３０（本実施の形態においては、第二アーム４４）に当接して当該移動部３０を静止させることにより障子１４を保持させるためのものである。本実施の形態に係るすべり出し窓１０においては、障子１４の清掃を行うために、障子１４を所定位置に保持させる（ロックする）仕組みが施されており、当該回動片５０をユーザーが操作して第二アーム４４に当接させることにより、かかる障子１４の保持が実現できるようになっている。
【００３７】
回動片５０は、金属製の板状部材であり、ベース板２２の前記一端部（上端部）に枢着されている。具体的には、回動片５０は、前述した第一ネジ穴２２ａを貫通するネジ６０でベース板２２及びカバー５２と共に縦枠１２ａに止められており、このことによりベース板２２に取り付けられている。なお、縦枠１２ａの上に、ベース板２２、回動片５０、カバー５２の順にこれらの３つの部材が重なった状態で、これらがネジ止めされている（縦枠１２ａ、ベース板２２、回動片５０、カバー５２、ネジ６０の頭部の順に重なっている）。
【００３８】
また、回動片５０は、その先端部分に、第二アーム４４と当接する当接部５０ａを備えている。本実施の形態に係る当接部５０ａは、図２や図５に示すように、第二アーム４４の一端部側の上部に位置する被当接部４４ａに当接した際に、当該被当接部４４ａに嵌合するようになっている（双方が適切に嵌合するように双方の形状が決められている）。そのため、当接部５０ａが被当接部４４ａに当接した際に、障子１４が適切に保持（ロック）されるようになっている。
【００３９】
また、回動片５０は、第二アーム４４に当接する当接位置と移動部３０が移動する際に当該移動部３０（すなわち、障子取り付け板３２及び連結部４０（第一アーム４２及び第二アーム４４））と接触しない退避位置との間を移動可能となっている。
【００４０】
具体的に説明すると、回動片５０は、図１や図３に示すように、通常は当該退避位置に位置しており、かかる退避位置において、回動片５０は、回動片５０の先端部分（当接部５０ａ）が上方を向いた姿勢を維持している。すなわち、障子１４が閉じた状態においては、回動片５０は退避位置に位置し、ユーザーが障子１４を開けた際にも、依然として回動片５０は退避位置に位置している（図１参照）。そして、当該退避位置は、障子１４をどの範囲で開閉させても移動部３０のいずれの部材（障子取り付け板３２、第一アーム４２、第二アーム４４）にも回動片５０が接触しない位置となっている。
【００４１】
ユーザーが、障子１４の清掃をするために、障子１４をさらに大きく開けると、障子１４は前記所定位置に位置することとなる（図３参照。当然のことながら、この間にも回動片５０は移動する移動部３０と接触しない）。そして、当該所定位置で、ユーザーが回動片５０を操作して回動させると、回動片５０は前記当接位置に位置することとなる（図４及び図５参照）。つまり、回動片５０は、回動片５０の先端部分（当接部５０ａ）が下方を向いた姿勢となり、当接部５０ａが第二アーム４４の被当接部４４ａに当接する。このように、回動片５０は、退避位置から回動して第二アーム４４に当接することにより、移動部３０を静止させる。このことにより、障子１４が開いた状態で保持（ロック）されて動かなくなり、障子１４の清掃が適切にできるようになる。
【００４２】
また、保持部（回動片５０）には、退避位置から当接位置へ回動片５０を移動させるための操作部が設けられている。本実施の形態においては、操作部として指や爪を入れて回動片５０を回動させるための操作穴５０ｂが備えられているが、これに限定されるものではなく、指でつまむための突起部等でもよい。
【００４３】
上述した通り、本実施の形態においては、移動部３０（第二アーム４４）に当接して移動部３０を静止させることにより障子１４を保持させ、移動部３０（第二アーム４４）に当接する当接位置と移動部３０が移動する際に該移動部と接触しない退避位置との間を移動可能な保持部（回動片５０）を備えることした。そのため、障子１４の保持機能の導入作業や除去作業を簡便に行うことができるすべり出し窓用ステー２０及びすべり出し窓１０を実現することが可能となる。
【００４４】
従来のすべり出し窓用ステーにおいては、障子が開閉され移動部が移動する際に、保持部が移動部と接触した状態で当該移動部の移動に連動して動作するようになっていた。そのため、保持部の移動部に対する関与が密接なものとなっており、保持機能の存在しないすべり出し窓に新たに当該機能を付加したり、保持機能の存在するすべり出し窓から当該機能を除去したりする際に、移動部も交換する必要があり、結局すべり出し窓用ステーを丸ごと交換することとなっていた。そのため、保持機能の導入作業や除去作業が大掛かりなものとなる課題があった。
【００４５】
これに対し、本実施の形態に係る保持部（回動片５０）については、障子１４を保持させるとき（保持機能が発揮されるとき）にのみ移動部３０（第二アーム４４）に当接させ、移動部３０が移動する際には退避位置に位置させるような仕組みになっている。そのため、回動片５０の移動部３０に対する関与が希薄となり、保持機能の存在しないすべり出し窓に新たに当該機能を付加したり、保持機能の存在するすべり出し窓から当該機能を除去したりする際に、移動部３０を交換することなく、回動片５０のみを導入したり除去したりすることが可能となる。したがって、本実施の形態によれば、障子１４の保持機能の導入作業や除去作業を簡便に行うことができるすべり出し窓用ステー２０及びすべり出し窓１０を実現することができる。
【００４６】
また、本実施の形態において、保持部（回動片５０）には、退避位置から当接位置へ回動片５０を移動させるための操作部が設けられ、障子１４の保持は自動ではなくユーザーにより手動で行われる仕組みとした。
【００４７】
そのため、保持部の機構を簡易なものとすることができ、障子１４の保持機能の導入作業や除去作業をより一層簡便に行うことが可能となる。
【００４８】
＝＝＝その他の実施の形態＝＝＝
上記の実施形態は、本発明の理解を容易にするためのものであり、本発明を限定して解釈するためのものではない。本発明は、その趣旨を逸脱することなく、変更・改良され得ると共に、本発明には、その等価物が含まれることは言うまでもない。
【００４９】
上記実施の形態においては、すべり出し窓１０を例に挙げて説明したが、これに限定されるものではない。例えば、縦すべり出し窓であってもよい。
【００５０】
また、上記実施の形態においては、すべり出し窓用ステーとしてリンクステーを例に挙げて説明したが、これに限定されるものではない。例えば、特許文献１に記載されているような所謂スライドステーにも本発明を適用可能であり、同様の方法で保持部を導入することができる（当接対象はアームの他にスライダーとしてもよい）。したがって、すべり出し窓用ステーがリンクステーであってもスライドステーであってもユーザーは同様の方法で操作することができるため、ユーザーにとって利便性の高い保持機能を実現することが可能となる。
【００５１】
また、上記実施の形態において、保持部は、ベース板２２の一端部に枢着された回動片５０であり、連結部４０は、一端部がベース板２２の他端部に枢着され、他端部が障子取り付け板３２の中央部に枢着された第一アーム４２と、一端部がベース板２２の中央部に枢着され、他端部が障子取り付け板３２の一端部に枢着された第二アーム４４と、を有し、回動片５０は、退避位置から回動して第二アーム４４に当接することにより、移動部３０を静止させることとした。
【００５２】
しかしながら、回動片５０が当接するのは第二アーム４４に限定されるものではなく、移動部３０の他の部材（第一アーム４２や障子取り付け板３２）であってもよい。ただし、ベース板２２の一端部に枢着された回動片５０を第二アーム４４に当接させる構成にすれば、他の部材に当接させる構成とするより、回動片５０により近い部材に回動片５０を当接させることができるため、回動片５０の構成を単純化することが可能となる。かかる点で、上記実施の形態の方が望ましい。
【符号の説明】
【００５３】
１０  すべり出し窓、１２  窓枠、１２ａ  縦枠
１４  障子、１６  框体、１６ａ  縦框
２０  すべり出し窓用ステー
２２  ベース板、２２ａ  第一ネジ穴、２２ｂ  第二ネジ穴
３０  移動部
３２  障子取り付け板、３２ａ  第一ネジ穴、３２ｂ  第二ネジ穴
４０  連結部
４２  第一アーム、４４  第二アーム、４４ａ  被当接部
５０  回動片、５０ａ  当接部、５０ｂ  操作穴、５２  カバー
６０  ネジ、６２  ピン
【図１】
2018141319.tif 000003
【図２】
2018141319.tif 000004
【図３】
2018141319.tif 000005
【図４】
2018141319.tif 000006
【図５】
2018141319.tif 000007